(57)【要約】【課題】  従来の電気掃除機は、集塵容器の上部に中蓋が設けてあり、中蓋と集塵容器との合せ部にパッキン等がないこと及び連通穴が開いているため、使い捨てフィルターなしで使った場合、吸込まれた塵埃はフィルターにぶつかり拡散し、隙間から集塵容器の外部に排出し、外蓋及び容器収納室を汚す。【解決手段】  本発明の電気掃除機の集塵ボックスは、シール手段により、吸入口と逆止弁との接合部、本体部と蓋体部との接合部及び蓋体部の後部の開口周辺部と集塵ボックス収納部の後壁との接合部をシールすることにより、集塵ボックス収納部から密閉されているものである。【選択図】        図１
2005080814.tif 000002
【特許請求の範囲】
【請求項１】
前部の吸入口と、前記吸入口の後部で、集塵ボックスを収納する集塵ボックス収納部と、前記集塵ボックス収納部の上部の開口部を開閉する外蓋と、前記集塵ボックス収納部の後部で、電動送風機を収納する電動機送風機室等とを備えた電気掃除機において、
前記集塵ボックスは、内部に集塵フィルターを収容するとともに、前記吸入口側の逆止弁を有する本体部と該本体部に開閉可能で、後部に前記電動送風機室に通じる開口部を有する蓋体部とを有し、
また、前記集塵ボックスは、シール手段により、前記吸入口と前記逆止弁との接合部、前記本体部と前記蓋体部との接合部及び前記蓋体部の後部の開口周辺部と前記集塵ボックス収納部の後壁との接合部をシールすることにより、前記集塵ボックス収納部から密閉されていることを特徴とする電気掃除機。
【請求項２】
前記蓋体部は、枠体と一体成形され、プリーツ加工されたフィルターとからなり、前記蓋体部を前記本体部に閉じたときの接合部のうち、前記フィルターのプリーツ加工の折り目方向の一方にヒンジ部、もう一方にストッパー部を設けたことを特徴とする請求項１に記載の電気掃除機。
【請求項３】
前部の吸入口と、前記吸入口の後部で、集塵ボックスを収納する集塵ボックス収納部と、前記集塵ボックス収納部の上部の開口部を開閉する外蓋と、前記集塵ボックス収納部の後部で、電動送風機を収納する電動機送風機室等とを備えた電気掃除機において、
前記集塵ボックスは、前記吸入口から挿入されるホースと連通する連通穴が設けられた本体部と該本体部に開閉可能で、後部に前記電動送風機室に通じる開口部を有する蓋体部とを有し、
前記蓋体部は、枠体と一体成形され、プリーツ加工されたフィルターからなり、前記蓋体部を前記本体部に閉じたときの接合部のうち、前記フィルターのプリーツ加工の折り目方向の一方にヒンジ部、もう一方にストッパー部が設けられ、開閉可能とされたことを特徴とする電気掃除機。
【請求項４】
前記プリーツ加工されたフィルターの前にカバーと一体成形されたプレフィルターが配置され、該カバーの外周部と前記プリーツ加工されたフィルターの枠体の外周部との少なくとも一方に前記フィルター面に対して垂直になるリブを設けたことを特徴とする請求項２又は請求項３に記載の電気掃除機。
【請求項５】
前部の吸入口と、前記吸入口の後部で、集塵ボックスを収納する集塵ボックス収納部と、前記集塵ボックス収納部の上部の開口部を開閉する外蓋と、前記集塵ボックス収納部の後部で、電動送風機を収納する電動機送風機室等とを備えた電気掃除機において、
前記集塵ボックスは、内部に集塵フィルターを収容するとともに、前記吸入口から挿入されるホースと連通する連通穴が設けられた本体部と該本体部に開閉可能で、後部に前記電動送風機室に通じる開口部を有する蓋体部とを有し、
前記本体部の内部には使い捨て集塵袋がセットされ、前記本体部に設置されたラッチの前記本体部外のボタン部の操作により、前記本体部内のラッチ部により前記使い捨て集塵袋を所定の位置に保持する、又は保持を解除することを特徴とする電気掃除機。
【請求項６】
前記本体部の外部に、前記ラッチのラッチ部が前記保持動作をするように前記ボタン部を付勢する付勢手段を有する保持部を設け、該保持部の下部に、電気掃除機本体から突出するリブを挿入する穴部を設け、
該リブは、前記集塵ボックスが前記集塵ボックス収納部に収納されているときは、前記保持部に挿入され、前記ラッチのボタン部を押圧することにより、前記ラッチ部の保持動作を解除できないようにすることを特徴とする請求項５に記載の電気掃除機。
【請求項７】
前記リブは、前記集塵ボックスが前記集塵ボックス収納部に収納されているときは、前記保持部に挿入され、前記集塵ボックスの前記集塵ボックス収納部内の設置位置の位置決めをすることを特徴とする請求項６に記載の電気掃除機。
【請求項８】
前記ラッチは、前記ボタン部と前記ラッチ部間に設けたパッキン部により、前記ラッチと前記集塵ボックス間のシールを行うことを特徴とする請求項５〜請求項７のいずれかの請求項に記載の電気掃除機。
【発明の詳細な説明】
【技術分野】
【０００１】
本発明は電気掃除機に関し、特に電気掃除機の集塵ボックスに関するものである。
【背景技術】
【０００２】
従来の集塵ボックスを有する電気掃除機は、例えば特許文献１に次のように記載されている。
「１は前面に吸込口２、後面に排気口３を有する本体ケースで、吸込口２近傍には上面が開口４している容器収納室５が形成され、・・・７は前記容器収納室５の開口４を覆うよう本体ケース１に一端を回動自在に支持された外蓋で、開口４の周縁部をシールするパッキン８がその内面に取付けられている。
９はそれぞれ後述する粗塵容器１０と細塵容器１５が着脱自在に結合して構成された集塵容器で、前記容器収納室５に着脱自在に収納されている。
１０は一側に中間口１１、他側に粗塵捕獲用のプレフィルター１２を有し、上面に粗塵取出口１３を有する祖塵容器で、前記中間口１１には軟質ゴム等で一体成形された逆止弁１４が取り付けられており、この逆止弁１４は前記吸込口２に一側が接合している。
１５は一側に開口１６を有し、他側に断面波形状の細塵捕獲用のメインフィルター１７と・・・上面には細塵取出口１９がそれぞれ形成された細塵容器で、前記粗塵容器１０の前記プレフィルター１２の排気側に開口１６部が位置するよう前記粗塵容器に後述する取付枠２１により着脱自在に取付けられている。
２０は集塵容器９の上面に形成されている粗塵取出口１３と細塵取出口１９により構成された塵埃取出口、・・・。
２５は一側に吸気口２６を有する支持枠２７と袋状に形成されたフィルター２８により構成された使い捨てフィルターで、吸気口２６が、吸込口２に一側が接合する逆止弁１４と接合するよう粗塵容器１０の内面に突設したリブ３８に着脱自在に支持されている。
・・・３０は、前記細塵容器１５の上面でその外部とメインフィルター１７の吸気面側と連通する連通口、３１は前記粗塵取出口１３と細塵取出口１９を覆うよう前記ハンドル２９の両側に回動自在に支持された中蓋で、その内面に前記使い捨てフィルター２５の支持枠２７の端面と接する支持リブ３２、上面には粗塵容器１０内および粗塵容器１５内とそれぞれの外部と連通する吸着防止穴３３、３３が設けられ、・・・。
電動送風機６の駆動により外部の塵埃は、吸入口２より、逆止弁１４を通過し、使い捨てフィルター２５内に捕獲される・・・
使い捨てフィルター２５の塵埃が多量になった時は、電動送風機６を停止し、外蓋７及び中蓋３１を開け、使い捨てフィルター２５を粗塵容器１０より引き出して捨てればよい。・・・
なお、使い捨てフィルター２５も集塵袋Ａも使用しない場合は、・・・ゴミ捨ての際にはゴミ箱上で中蓋３１を開け、集塵容器９内の各塵埃を粗、細塵取出口１３、１９より直接捨てるだけでよい。」
【特許文献１】実用新案登録第２５４３８６２号公報（第１頁〜第３頁、第１図〜第３図）
【発明の開示】
【発明が解決しようとする課題】
【０００３】
このような従来の電気掃除機はで、次のような課題があった。
１）集塵容器９（本願発明の集塵ボックス）の上部に中蓋３１が設けてあり、中蓋３１と集塵容器９との合せ部にパッキン等がないため、隙間が開いてしまい使い捨てフィルター２５がない仕様で使った場合、ホースから吸込まれた塵埃はプレフィルター１２、メインフィルター１７にぶつかり拡散し、隙間から集塵容器９の外部に細かい塵埃が排出してしまい、外蓋７及び容器収納室５を汚してしまう。
２）集塵容器９に複数の連通穴（吸着防止穴３３、３３´）、連通口３０が設けられているため、集塵容器９の外部に細かい集塵が排出してしまい、外蓋７及び容器収納室５を汚してしまう。
３）使い捨てフィルター２５は、粗塵埃容器１０の内面に突設したリブ３８と中蓋３１の内面に設けられた支持リブ３２により着脱自在に支持されているので、取出しには、使い捨てフィルター２５を引き出して捨てなければならず、手が汚れる場合があった。
４）また、使い捨てフィルター２５を使用しない場合は、集塵容器９を逆さまにして、塵埃を捨てなければならず、使い勝手が悪い。
【０００４】
本発明は、上述のような課題を解決するためになされたもので、集塵ボックスを集塵ボックス収納部に収納したとき、集塵ボックス収納部から密閉できて、集塵ボックス収納部に塵埃が漏れることのない電気掃除機を得ることを目的とする。
また、集塵ボックス内のフィルターに吸引塵埃が衝突し、分散しても集塵ボックス内から漏れない電気掃除機を得ることを目的とする。
また、集塵ボックス内にたまった塵埃を捨てるのが容易で、取扱い易い電気掃除機を得ることを目的とする。
【課題を解決するための手段】
【０００５】
この発明に係わる電気掃除機は、前部の吸入口と、吸入口の後部で、集塵ボックスを収納する集塵ボックス収納部と、集塵ボックス収納部の上部の開口部を開閉する外蓋と、集塵ボックス収納部の後部で、電動送風機を収納する電動機送風機室等とを備えた電気掃除機であって、集塵ボックスは、内部に集塵フィルターを収容するとともに、吸入口側の逆止弁を有する本体部と該本体部に開閉可能で、後部に電動送風機室に通じる開口部を有する蓋体部とを有し、また、集塵ボックスは、シール手段により、吸入口と逆止弁との接合部、本体部と蓋体部との接合部及び蓋体部の後部の開口周辺部と集塵ボックス収納部の後壁との接合部をシールすることにより、集塵ボックス収納部から密閉されているものである。
【発明の効果】
【０００６】
本発明の電気掃除機は、集塵ボックスが、シール手段により、吸入口と逆止弁との接合部、本体部と蓋体部との接合部及び蓋体部の後部の開口周辺部と集塵ボックス収納部の後壁との接合部をシールすることにより、集塵ボックス収納部から密閉されているもので、集塵ボックスを集塵ボックス収納部に収納したとき、集塵ボックス収納部から密閉できて、集塵ボックス収納部に塵埃が漏れることのない。
【発明を実施するための最良の形態】
【０００７】
実施の形態１．
図１は、本実施の形態の電気掃除機を示す断面図であり、図２は、同じく電気掃除機を示す斜視図であり、外蓋を開け集塵ボックスを取り出した図である。図３は、同じく電気掃除機の集塵ボックスを開けた様子を示す斜視図であり、図４は、同じく電気掃除機の集塵ボックスの外観（前側の外観）を示す斜視図であり、図５は、同じく集塵ボックスを示す断面図である。また、図６は、同じく電気掃除機のラッチを示す部分斜視図である。
【０００８】
これらの図において、電気掃除機本体１は本体ケース６で囲われ、電気掃除機本体１には、前方にホースを差し込むための吸込口２が設けられ、この吸込口２の後方に、集塵ボックス１１が収納される集塵ボックス収納部３が形成され、さらに、この集塵ボックス収納部３の後方に電動送風機４が内蔵される電動送風機室５が設けられている。
吸込口２には、ホース挿入部９が設けられ、また、集塵ボックス収納部３をシールするためのシール手段であるパッキンインレット１０が設けられている。
集塵ボックス収納部３は、上面が開口しており、この開口は本体ケース６に一端を回動自在に支持された外蓋７により開閉される。また、開口の周縁部には、外蓋７を閉じた時、開口をシールするパッキン８が設けられている。
【０００９】
集塵ボックス収納部３に収納される集塵ボックス１１は、ＡＢＳ樹脂等の透明樹脂でできており、前側に吸込口２と連通するための連通穴１２が設けてあり、この連通穴１２には逆止弁１３が取付けられ、この逆止弁１３はパッキンインレット１０に一側が接合している。
連通穴１２の上部にラッチ１５を設け、このラッチ１５のラッチ部１５ａを集塵ボックス１１の内部に配置し、使い捨て集塵袋である使い捨て紙パック１４を集塵ボックス１１内の所定の位置に保持する。ラッチ１５は、図６に示すように、ラッチ部１５ａ、ボタン部１５ｂ及びパッキン部であるパッキンラッチ１５ｃからなり、集塵ボックス１１の外部に突出させ、配置したボタン部１５ｂの操作により、使い捨て紙パック１４の前記ラッチ部１５ａの保持、保持解除を可能にする。ラッチ１５は、ラッチ部１５ａとボタン部１５ｂ間のパッキンラッチ１５ｃにより、集塵ボックス１１の貫通部の隙間をシールする。
使い捨て紙パック１４は、開口部を有する台紙と台紙に接続した袋部からなり、使用時には、開口部を逆止弁１３の他側に接合し、台紙の一端をラッチ部１５ａで保持し、使い捨て紙パック１４を集塵ボックス１１内の所定の位置に保持する。
【００１０】
また、集塵ボックス１１の外部で、ラッチ１５のボタン部１５ｂの下方にボタン１５ｂを保持する保持部１９を設ける。保持部１９は、ほぼ中央に、上下に貫通する貫通穴を有し、この貫通穴の周囲に底部の台座に設置した付勢手段である複数のばね１８を突出させ、このばね１８の上部でラッチ１５のボタン部１５ｂの下部を上方に付勢する。貫通穴の下部の穴部２１には、集塵ボックス１１を集塵ボックス収納部３に収納する時、電気掃除機本体１から突出する位置決めリブ２０が挿入され、この穴部２１に位置決めリブ２０を挿入することにより集塵ボックス収納部３を所定の位置に収納できる。なお、集塵ボックス１１を集塵ボックス収納部３に収納すると、位置決めリブ２０の上端部がボタン部１５ｂの下端部と丁度接触するような位置関係になり、即ち、ボタン部１５ｂを上方に押圧することにより、ボタン部１５ｂは、下方に押しても下方に移動できず、従って、集塵ボックス収納部３内のラッチ部１５ａは使い捨て紙パック１４の台紙を保持続ける。そこで、誤ってボタン部１５ｂを押しても、使い捨て紙パック１４が外れることはない。
【００１１】
また、集塵ボックス１１は、図３に示すように、使い捨ての紙パック１４を収納する前側の本体部１１ａと後側の蓋体部１１ｂからなり、後側の蓋体部１１ｂは、枠体２３と一体成形されたヘパフィルター２２（例えば、ポリエステル繊維の不織布製）から形成される。蓋体部１１ｂは、枠体２３の下側に設置された２箇所のヒンジ部２５、２５により本体部１１ａに開閉可能に取付けられ、枠体２３の上側に設置されたストッパー部２６の操作により開閉される。
ヘパフィルター２２は、プリーツ加工（断面波形状に加工）された細塵用フィルターであり、プリーツ加工された断面波形状の山と谷の折り目の方向はフィルター全体で上下方向に揃えてあり、蓋体部１１ｂを閉じたとき、本体部１１ａと蓋体部１１ｂの接合部のうち、この折り目方向の一方にヒンジ部２５、２５、もう一方にストッパー部２６が設けられている。図３では、集塵ボックス１１の上側の結合部にストッパー部２６、下側にヒンジ部２５、２５が設けられている。また、枠体２３の本体部１１ａ側には全周にシール手段であるシールパッキン２４ａが設けられ、蓋体部１１ｂを閉じたとき、本体部１１ａと密封できる。
【００１２】
ヘパフィルター２２の前には、カバー２８と一体成形された、材質がナイロン又はポリエステルのネット状の粗塵用のプレフィルター２７が設置される。ここで、カバー２８の外周部と枠体２３の外周部のうち、少なくとも一方にはフィルター面（ヘパフィルター２２の場合は、フィルター面とは、断面波形状で形成される吸引方向とほぼ垂直の広がり面）と垂直方向に突出するリブ２９が設けられる。図３では、ヘパフィルター２２の前に設置されたプレフィルター２７の図示は省略され、カバー２８からのフィルター面と垂直方向に突出するリブ２９を図示している。
また、集塵ボックス１１の蓋体部１１ｂのヘパフィルター２２の後側、即ち、枠体２３の開口周辺部と電動送風機室に通じる集塵ボックス収納部３の後壁との結合部に、シール手段であるシールパッキン２４ｂが設けられ、集塵ボックス１１が集塵ボックス収納部３に収納されたとき、蓋体部１１ｂの後側の周辺部と集塵ボックス収納部３の後壁とをシールする。このシールパッキン２４ｂは枠体２３に一体に成形される。
このように構成された集塵ボックス１１は、集塵ボックス収納部３に収納されたとき、シール手段により、吸入口と逆止弁との接合部、本体部と蓋体部との接合部及び蓋体部の後部の開口周辺部と集塵ボックス収納部の後壁との接合部をシールすることにより、集塵ボックス収納部から密閉される。
【００１３】
次にこのような電気掃除機の動作について説明する。
まず、使い捨ての紙パック１４使用時においては、電動送風機４の駆動により、外部の塵埃は吸入口２より電気掃除機内に入り、逆止弁１３を通り、予めセットしておいた紙パック１４内に捕獲される。紙パック１４で空気と塵埃をろ過し、ある程度きれいになった空気はネット状のプレフィルター２７を通過し、メインフィルターであるヘパフィルター２２により更にろ過されきれいになり、集塵ボックス１１から電動送風機室５の電動送風機４を通り、電気掃除機の外部に排気口（図示略）から排気される。
【００１４】
紙パック１４内の塵埃が多量になったときは、外蓋７を開け、集塵ボックス１１の上部のハンドル３５を持って集塵ボックス１１を電気掃除機本体１の集塵ボックス収納部３から持上げる。
次に、集塵ボックス１１の後方上部のストッパー部２６を下方に押して、蓋体部１１ｂを開き、そして集塵ボックス１１の外部に突出するラッチ１５のボタン部１５ｂを操作し、集塵ボックス１１内に保持されていた紙パック１４の支持枠１４ａの保持を解除して、斜めに傾けて捨てる。このように紙パック１４を捨てるとき、いちいち紙パック１４を引き出して捨てる必要がなく、操作が容易であり、また、紙パック１４に触れることなく捨てることができ清潔である。
【００１５】
次に、紙パック１４セットしないで電気掃除機を使用する場合について説明する。
電動送風機４の駆動により、外部の塵埃は吸入口２より電気掃除機内に入り、逆止弁１３を通り、直線的に勢いよくネット状のプレフィルター２７にぶっつかる。このとき、粗塵はプレフィルター２７でろ過される。
細塵は、空気とともに、プレフィルター２７を通過して、次のメインフィルターであるヘパフィルター２２にぶっつかる。ヘパフィルター２２は、圧損が大きく、簡単には通過できず、ぶっつかった細塵と空気は、プリーツ加工されたフィルター２２の断面波形状の谷部の折り目に沿って勢いよく蓋体部１１ｂの上下方向に向きを変えて進行する。しかし、ヘパフィルター２２の折り目方向の本体部１１ａと蓋体部１１ｂとの結合部には、ヒンジ部２５及びストッパー部２６が設けられているので、集塵ボックス１１の本体部１１ａと蓋体部１１ｂとの結合部のこの方向の密着性が良く、シールパッキン２４ａから集塵ボックス１１の外部に細かい塵埃は排出されることがなく、外蓋７及び集塵ボックス収納部３を汚すことはない。
【００１６】
また、カバー２８又は枠体２３の外周部にフィルター面と垂直に突設したリブ２９を設けているので、このリブ２９が壁になり、細かい塵埃の集塵ボックス１１の外部への排出を防止する。
更に、直線的に勢いよくネット状のプレフィルター２７にぶっつかった塵埃と空気は、両サイドに向かい、その渦は集塵ボックス１１の前部にあるラッチ１５のラッチ部１１ａにまで達するが、ラッチパッキン１１ｃでシールしているため隙間がなく、細かい塵埃の集塵ボックス１１の外部への排出を防止する。即ち、集塵ボックス１１が密閉状態にあるため、塵埃の外部排出を防止できる。
【産業上の利用可能性】
【００１７】
この発明の集塵ボックス１１を有する電気掃除機は、集塵ボックス収納部３を塵埃で汚すことなく、使い捨て紙パック１４使用、使用せずのどちらでも使用できる。
【図面の簡単な説明】
【００１８】
【図１】この発明の実施の形態１に係わる電気掃除機を示す断面図である。
【図２】この発明の実施の形態１に係わる電気掃除機を示す斜視図であり、外蓋を開け集塵ボックスを取り出した様子を示す図である。
【図３】この発明の実施の形態１に係わる電気掃除機の集塵ボックスを開けた様子を示す斜視図である。
【図４】この発明の実施の形態１に係わる電気掃除機の集塵ボックスの外観（前側の外観）を示す斜視図である。
【図５】この発明の実施の形態１に係わる電気掃除機の集塵ボックスを示す断面図である。
【図６】この発明の実施の形態１に係わる電気掃除機の集塵ボックスのラッチを示す部分斜視図である。
【符号の説明】
【００１９】
２  吸入口、３  集塵ボックス収納部、４  電動送風機、５  電動送風機室、７  外蓋、１１  集塵ボックス、１０、２４ａ、２４ｂ  シール手段、１１ａ  本体部、１１ｂ  蓋体部、１２  連通穴、１３  逆止弁、１４  使い捨て集塵袋、１５  ラッチ、１５ａ  ラッチ部、１５ｂ  ボタン部、１５ｃ  パッキン部、１８  付勢手段、１９  保持部、２０  リブ、２１  穴部、２２  プリーツ加工されたフィルター、２２、２７  集塵フィルター、２３  枠体、２５  ヒンジ部、２６  ストッパー部、２７  プレフィルター、２８  カバー、２９  リブ。
【図１】
2005080814.tif 000003
【図２】
2005080814.tif 000004
【図３】
2005080814.tif 000005
【図４】
2005080814.tif 000006
【図５】
2005080814.tif 000007
【図６】
2005080814.tif 000008